Podtech/llm-jp-corpus-v4-ja_patent huggingface dataset:
(57)【要約】【課題】  使用済みのペットボトルにコイン投入口を設けたキャップを取り付けたペットボトル貯金箱を提供する。【解決手段】  本考案のペットボトル貯金箱はペットボトル本体１０とキャップ２０からなり、キャップ２０の上部平面に、コイン投入口２１を設けかつマスコットフィギュア２２を取り付ける。マスコットフィギュア２２は、仔犬又は仔猫などのペット動物のキャラクターを用いる。【効果】  使用済みのペットボトルを貯金箱として有効に再利用できる。キャップ２０にコイン投入口２１を設けることにより、キャップ２０を取外すことなくコインを入れることができ、また、マスコットフィギュア２２を取り付けたことにより、見るのが楽しく貯金する意欲を沸き立たせる。【選択図】  図１
0003108551.tif 000002
【実用新案登録請求の範囲】
【請求項１】
ペットボトル本体とそのキャップからなり、そのキャップの上部平面に、コイン投入口を設けかつマスコットフィギュアを取り付けたことを特徴とするペットボトル貯金箱。
【請求項２】
ペットボトルのキャップの上部平面に、コイン投入口を設けかつマスコットフィギュアを取り付けたことを特徴とするペットボトルのキャップ。
【請求項３】
前記キャップは、前記マスコットフィギュアが仔犬又は仔猫などのペット動物のキャラクターであることを特徴とする、請求項２に記載のペットボトルのキャップ。
【考案の詳細な説明】
【技術分野】
【０００１】  本考案は、使用済みのペットボトル（お茶・ジュースなどのＰＥＴ容器）を利用した貯金箱に関するものである。
【背景技術】
【０００２】  従来、使用済みのジュースの缶などを貯金箱として利用することが種々提案されているが、一般にペットボトルと称されるＰＥＴ製の飲料水等の容器を、使用後に貯金箱として利用することはあまり行なわれていないと思われる。その理由として、ペットボトルにコインを投入するためにはキャップを外さなければならず、キャップの付け外しが面倒であったこと、また、ペットボトルそのままでは貯金箱としてのイメージがなく貯金する意欲を喚起しないことなどが挙げられる。
【考案の開示】
【考案が解決しようとする課題】
【０００３】  本考案は、上述のような問題点に鑑みてなされたもので、使用済みのペットボトルにコイン投入口を設けたキャップを取り付けたペットボトル貯金箱を提供することを目的とする。
【課題を解決するための手段】
【０００４】  上記課題を解決するために、本考案の請求項１に記載のペットボトル貯金箱は、ペットボトル本体とそのキャップからなり、そのキャップの上部平面に、コイン投入口を設けかつマスコットフィギュアを取り付ける手段を講じたものである。
また、請求項２に記載のペットボトルのキャップは、上部平面にコイン投入口を設けかつマスコットフィギュアを取り付ける手段を講じたものである。
また、請求項３に記載のペットボトルのキャップは、前記マスコットフィギュアが仔犬又は仔猫などのペット動物のキャラクターであることを特徴とするものである。
【考案の効果】
【０００５】  本考案のペットボトル貯金箱及びそのペットボトル用キャップは、上述の手段を講じたことにより、使用済みのペットボトルを貯金箱として有効に再利用できるようになる。
キャップにコイン投入口を設けることにより、キャップを取外すことなくコインを入れることができ、また、マスコットフィギュアを取り付けたことにより、見るのが楽しく貯金する意欲を沸き立たせるという効果がある。
また、キャップにマスコットフィギュアを取り付けたことにより、使用済みのペットボトルに取り付けて、または、キャップ単体で室内アクセサリーとして飾ることができ、異なるマスコットフィギュアのキャップを集めて、室内に飾って楽しむこともできる。
また、各種の異なるマスコットフィギュアを取り付けたペットボトル貯金箱用のキャップをパブリシティ商品として提供することが可能となる。
また、マスコットフィギュアを仔犬又は仔猫などの可愛らしいペット動物のキャラクターとしたことにより、見る者をより楽しませ、貯金する意欲をより高め、パブリシティ商品としてより人目を引くことができる。
本考案を使用することによって、使用済みペットボトルの特徴を活かして有効に再利用でき、低コストで意外性のある貯金箱や室内アクセサリーなどを提供することができる。
また、資源ごみになるべき使用済みペットボトルの良さを発見し、有効に再利用することで、資源を大事にする心と自然環境を大事にする心を育成することができる。
【考案を実施するための最良の形態】
【０００６】  本考案の実施の形態を、図を用いて説明する。図１は本考案の請求項１に記載のペットボトル貯金箱の斜視図、図２は本考案の請求項２に記載のペットボトル貯金箱のキャップの斜視図である。図１に示すように、ペットボトル本体１０に、キャップ２０が取り付けられている。ペットボトルのキャップは、通常、外径３０ｍｍのネジ式で、その材質はＰＥ（ポリエチレン樹脂）、ＰＰ（ポリプロピレン樹脂）、ＰＶＣ（ポリ塩化ビニール樹脂）などである。図２に示すように、キャップ２０は、通常のペットボトル用のキャップと同じ樹脂材料をを用い、その上部平面に、コイン投入口２１を設け、かつマスコットフィギュア２２を取り付けてある。【０００７】  コイン投入口２１は、一円硬貨が挿入できるようにスリット状に穿孔されている。マスコットフィギュア２２は、仔犬や仔猫などの可愛らしいキャラクターを、キャップ２０の上部平面にコイン投入口２１を塞がないように取り付けてある。マスコットフィギュア２２は、キャップ２０と同一の材質により一体的に樹脂成形することが望ましい。
図３は、マスコットフィギュアのバリエーションによるキャップの参考図である。このように、マスコットフィギュアとして種々のバリエーションのものを揃えて市場に提供することにより、消費者は自分の好みのものを選択することができ、また、これらを集めて楽しむこともできる。【０００８】  ５００ｍｌのペットボトルには、一円硬貨を約１５０枚貯めることができる。子供にこのペットボトル貯金箱を使わせることにより、貯金することの楽しさと、一円を大切にする気持を自然に身につけさせることができる。
【図面の簡単な説明】
【０００９】
【図１】ペットボトル貯金箱の斜視図である。
【図２】キャップの斜視図である。
【図３】各種マスコットフィギュアのキャップの参考図である。
【符号の説明】
【００１０】    １０    ペットボトル本体
２０    キャップ
２１    コイン投入口
２２    マスコットフィギュア
３０    コイン（１円硬貨）
【図１】
0003108551.tif 000003
【図２】
0003108551.tif 000004
【図３】
0003108551.tif 000005
(57)【要約】      （修正有）【課題】本考案は車のナンバープレートの再使用が出来ないようにするものです。【解決手段】ナンバープレート本体に凹状の袋部分を作り車体に凸状の部品をネジ留めにし、ナンバープレート本体を凸状の部品に羽目込む、取りはずす時は凹状の部分を破らなければ外せない作りにする。【選択図】図１
0003108553.tif 000002
【実用新案登録請求の範囲】
【請求項１】
車のナンバープレートを再使用出来ないようにする。
【考案の詳細な説明】
【技術分野】
【０００１】本考案は再使用出来ない車のナンバープレートである。
【背景技術】
【０００２】現在ネジ留めの部分をナンバープレートに袋の部分を作り羽目込み式にする。
【考案の開示】
【考案が解決しようとする課題】
【０００３】車のナンバープレートがネジ留めの為、容易に他の車輌に取り付ける事が出来る
【課題が解決するための手段】
【０００４】車のナンバープレートを破らないと外せないようにする。
【考案の効果】
【０００５】車の盗難防止、疑造ナンバー車輌の防止として役立つ。
【考案の実施するための最良の形態】
【０００６】ナンバープレート本体に凹状の袋部分を作り車体に凸状の部品をネジ留めにし、ナンバープレート本体を凸状の部品に羽目込む、取りはずす時は凹状の部分を破らなければ外せない。
【実施例】
【０００７】以下添付図面に従って実施例を説明する。
１．はナンバープレート本体に爪をつける。羽目込み式にする。
２．接着剤でも付ける事が出来る。
【図面の簡単な説明】
【０００８】
【図１】ナンバープレート
【図２】ステ用プレート
【図３】ボルト
【符号の説明】
【０００９】
0003108553.tif 000003
【図１】
0003108553.tif 000004
【図２】
0003108553.tif 000005
【図３】
0003108553.tif 000006
【手続補正書】
【提出日】平成16年2月12日(2004.2.12)
【手続補正１】
【補正対象書類名】実用新案登録請求の範囲
【補正対象項目名】全文
【補正方法】変更
【補正の内容】
【実用新案登録請求の範囲】
【請求項１】
車のナンバープレートを再使用出来ないナンバープレートにする。
ナンバープレートの本体に筒状の空洞を作り、車輌本体には筒状の空洞の内部にはいりナンバープレートを固定する部品をボルトで取付ける。そしてナンバープレートを上から羽目込む為にナンバープレートを破らなければはずせない様にする。
脱着不能ナンバープレートとする。
【手続補正書】
【提出日】平成16年7月5日(2004.7.5)
【手続補正１】
【補正対象書類名】実用新案登録請求の範囲
【補正対象項目名】全文
【補正方法】変更
【補正の内容】
【実用新案登録請求の範囲】
【請求項１】
車の本体にテパー状にカットしたプレートをボルトで取り付けておき、ナンバープレートの筒にある爪がプレートにしっかかるように上からナンバープレートを羽目込む、ことを特徴とする羽目込み式ナンバープレートとする。
(57)【要約】【課題】メモ用紙、又は宣伝広告・情報を印刷したメモ用紙と筆記用具を付属させた携帯電話を入れるケースを提供する。また、メモ帳、又は宣伝広告・情報を印刷したメモ用紙も提供する。【解決手段】携帯電話ケースにメモ帳と筆記用具を付属させる。メモ帳は、無地の物、広告宣伝や情報を印刷したものなど、使用する人が選ぶことができるようにする。【選択図】  図２
0003108557.tif 000002
【実用新案登録請求の範囲】
【請求項１】
メモ用紙、又は宣伝広告・情報を印刷したメモ用紙と筆記用具を、携帯電話を入れるケースに付属させる。  以上のように構成された携帯電話ケースとメモ帳。
【考案の詳細な説明】
【技術分野】
【０００１】本考案は、メモ帳、又は広告宣伝や情報を印刷したメモ帳と筆記用具を、携帯電話ケースに付属させたものである。
【背景技術】
【０００２】従来、携帯電話と筆記用具は別々に持ち歩く物であった。携帯電話で会話をしている最中などに筆記用具を探すことは困難なことであった。
【考案が解決しようとする課題】
【０００３】携帯電話ケースにメモ帳と筆記用具を付属することにより、会話中でもすぐにメモ帳や筆記用具が取り出せるようにするものである。また、携帯電話は常に持ち歩く性質があるため、広告宣伝や情報を、インターネット接続などの手間をかけずに何処ででもすぐに取り出すことが出来るようにするものである。
【課題を解決するための手段】
【０００４】携帯電話ケースにメモ帳と筆記用具を付属させる。メモ帳は、無地の物、広告宣伝や情報を印刷したものなど、使用する人が選ぶことができるようにする。
【考案の効果】
【０００５】上述の様に、本考案は携帯電話使用中でも、難なく筆記用具を取り出すことができる効果がある。また、単なる筆記用具付き携帯電話ケースだけではなく、情報を必要な時に手間をかけずに見ることができるという効果がある。
【考案を実施するための最良の形態】
【０００６】携帯電話ケースに、メモ帳がめくれるようなことが無い様カバーなどを付け、筆記用具と共に固定できる機能をつける。携帯電話をケースから外した状態のでもメモが取れるような強度を付ける。
【実施例】
【０００７】以下、送付画面にしたがって、一実例を説明する。１は、携帯電話ケース前面に付属したもの。（首かけタイプとクリップタイプ）２は、携帯電話ケース前面に付属したもので、メモ帳付属部分を開いた図。３は、携帯電話ケース後面に付属したもの。（首かけタイプとクリップタイプ）４は、携帯電話ケース後面に付属したもので、メモ帳付属部分を開いた図。
【産業上の利用可能性】
【０００８】本考案は、単なるメモ帳付き携帯電話ケースのみならず、付属するメモ帳を情報ツールとして使用することも目的としている。メモ帳での広告宣伝は、安価で少数でも作成することが出来るため、あらたな情報ツールとして活用性が高い。
【図面の簡単な説明】
【０００９】【図１】本考案のメモ帳・筆記用具付き携帯電話ケース（メモ帳前面付属）。
【図２】本考案の携帯電話ケース、図１のメモ帳部分を開いた図。
【図３】本考案のメモ帳・筆記用具付き携帯電話ケース（メモ帳後面付属）。
【図４】本考案の携帯電話ケース、図３のメモ帳部分を開いた図。
【符号の説明】
【００１０】  １．  メモ帳付属カバー  ２．  筆記用具入れ
【図１】
0003108557.tif 000003
【図２】
0003108557.tif 000004
【図３】
0003108557.tif 000005
【図４】
0003108557.tif 000006
【手続補正書】
【提出日】平成16年5月26日(2004.5.26)
【手続補正１】
【補正対象書類名】実用新案登録請求の範囲
【補正対象項目名】全文
【補正方法】変更
【補正の内容】
【実用新案登録請求の範囲】
【請求項１】
メモ用紙、又は宣伝広告・情報を印刷したメモ用紙と、筆記用具又は筆記用具入れを備えたことを特徴とする携帯電話ケース。以上のように構成された携帯電話ケースとメモ帳。
【手続補正書】
【提出日】平成16年10月4日(2004.10.4)
【手続補正１】
【補正対象書類名】実用新案登録請求の範囲
【補正対象項目名】全文
【補正方法】変更
【補正の内容】
【実用新案登録請求の範囲】
【請求項１】
メモ用紙、又は宣伝広告・情報を印刷したメモ用紙と、筆記用具又は筆記用具入れを備えたことを特徴とする携帯電話ケース。
(57)【要約】【課題】  クラウン部の後面に切欠部が無い帽子であって、かつ、周長を調節することができる帽子を提供する。【解決手段】  クラウン部Ｃの後面Ｂに切欠部が無い帽子に於て、帯状の汗取り備皮１の一部に平ゴム体２を介装して、汗取り備皮１の周長を可変に構成する。面状ファスナーにて、平ゴム体２の一端を着脱して、汗取り備皮１の周長を調節自在に構成する。【選択図】  図２
0003108513.tif 000002
【実用新案登録請求の範囲】
【請求項１】
クラウン部（Ｃ）の後面（Ｂ）に切欠部が無い帽子に於て、帯状の汗取り備皮（１）の一部に平ゴム体（２）を介装して、該汗取り備皮（１）の周長（Ｌ）を可変に構成したことを特徴とする帽子。
【請求項２】
クラウン部（Ｃ）の後面（Ｂ）に切欠部が無い帽子に於て、帯状の汗取り備皮（１）の一部に平ゴム体（２）を介装して、該汗取り備皮（１）の周長（Ｌ）を可変に構成し、かつ、面状ファスナー（３）にて、上記平ゴム体（２）の一端（４）を着脱して、上記汗取り備皮（１）の周長（Ｌ）を調節自在に構成したことを特徴とする帽子。
【考案の詳細な説明】
【技術分野】
【０００１】
本考案は、帽子に関する。
【背景技術】
【０００２】
一般に、帽子には、クラウン部の後面に切欠部が有る帽子と、クラウン部の後面に切欠部が無い帽子がある。
【０００３】
しかし、クラウン部の後面に切欠部が無い帽子は、サイズ（周長）を調節することができないという欠点があった。すなわち、人の頭の大きさには個人差があるので、多数のサイズの帽子を製造・販売する必要があった。そして、在庫の品数も多くなりがちだった。また、微調整ができず、強風や激しい身体の動きで帽子が飛ぶ虞れがあった。
【考案の開示】
【考案が解決しようとする課題】
【０００４】
解決しようとする課題は、サイズを調節できない点である。すなわち、頭のサイズが異なる人が同じ帽子をかぶることができない点である。
【課題を解決するための手段】
【０００５】
そこで、本考案に係る帽子は、クラウン部の後面に切欠部が無い帽子に於て、帯状の汗取り備皮の一部に平ゴム体を介装して、該汗取り備皮の周長を可変に構成したものである。
また、クラウン部の後面に切欠部が無い帽子に於て、帯状の汗取り備皮の一部に平ゴム体を介装して、該汗取り備皮の周長を可変に構成し、かつ、面状ファスナーにて、上記平ゴム体の一端を着脱して、上記汗取り備皮の周長を調節自在に構成したものである。
【考案の効果】
【０００６】
本考案の帽子によれば、サイズを調節することができる。すなわち、頭のサイズが異なる人が同じ帽子をかぶることができる。そして、製造・販売が容易になる。例えば、商品の帽子サイズの種類を減少させたり、在庫の品数を低減することができる。
【考案を実施するための最良の形態】
【０００７】
図１は、本考案の実施の一形態の使用状態を示す。すなわち、この帽子は、織布、不織布等から成り、クラウン部Ｃの後面Ｂに切欠部が無い。
図２に示すように、帯状の汗取り備皮１の一部に平ゴム体２が介装され、汗取り備皮１の周長Ｌ（図５参照）は可変に構成されている。図３・図４に示すように、本考案に於て、「汗取り備皮１の周長Ｌ」とは、汗取り備皮１のうち頭Ｈ（図１参照）と接する部分Ｓの長さＭ1 と、平ゴム体２のうち上記部分Ｓの両端Ｓ1 ，Ｓ2 を架橋状につなぐ部分２ａの長さＭ2 の合計をいうと定義する。
図６は図３のＸ−Ｘ方向に見た図を示し、図７は図３のＹ−Ｙ方向に見た図を示す。
【０００８】
図３・図４に示すように、面状ファスナー３にて、平ゴム体２の一端４を着脱して、汗取り備皮１の周長Ｌ（図５参照）が調節自在に構成されている。面状ファスナー３は、パイル部材３ａと、パイル部材３ａに係脱自在な係止部材３ｂから成る。図３は汗取り備皮１の周長Ｌが長くなるように面状ファスナー３を係止させた状態を示し、図４は汗取り備皮１の周長Ｌが短くなるように面状ファスナー３を係止させた状態を示す。図５の１点鎖線は、図３の状態での汗取り備皮１を模式的に示し、Ｌ1 はその周長を示す。図５の２点鎖線は、図４の状態での汗取り備皮１を模式的に示し、Ｌ2 はその周長を示す。面状ファスナー３は、図３と図４の中間の任意の位置で係止することができる。
【０００９】
なお、本考案は、設計変更可能であって、例えば、平ゴム体２の両端を帯状の汗取り備皮１に縫製した構成とするも良い。
【００１０】
以上のように、本考案は、クラウン部Ｃの後面Ｂに切欠部が無い帽子に於て、帯状の汗取り備皮１の一部に平ゴム体２を介装して、汗取り備皮１の周長Ｌを可変に構成したので、平ゴム体２の伸縮によって、サイズを自動的に調節することができる。すなわち、頭のサイズが異なる人が同じ帽子をかぶることができる。そして、製造・販売が容易になる。例えば、商品の帽子サイズの種類を減少させたり、在庫の品数を低減することができる。また、強風や激しい身体の動きで帽子が飛ぶことを防止することができる。
また、クラウン部Ｃの後面Ｂに切欠部が無い帽子に於て、帯状の汗取り備皮１の一部に平ゴム体２を介装して、汗取り備皮１の周長Ｌを可変に構成し、かつ、面状ファスナー３にて、平ゴム体２の一端４を着脱して、汗取り備皮１の周長Ｌを調節自在に構成したので、サイズを大幅に調節することができる。すなわち、頭のサイズがかなり異なる人でも同じ帽子をかぶることができる。そして、製造・販売が容易になる。例えば、商品の帽子サイズの種類を減少させたり、在庫の品数を低減することができる。また、強風や激しい身体の動きで帽子が飛ぶことを防止することができる。
【図面の簡単な説明】
【００１１】
【図１】本考案の実施の一形態の使用状態を示す斜視図である。
【図２】底面図である。
【図３】要部断面底面図である。
【図４】要部断面底面図である。
【図５】説明図である。
【図６】図３のＸ−Ｘ方向に見た断面図である。
【図７】図３のＹ−Ｙ方向に見た断面図である。
【符号の説明】
【００１２】
１  汗取り備皮
２  平ゴム体
３  面状ファスナー
４  一端
Ｂ  後面
Ｃ  クラウン部
Ｌ  周長
【図１】
0003108513.tif 000003
【図２】
0003108513.tif 000004
【図３】
0003108513.tif 000005
【図４】
0003108513.tif 000006
【図５】
0003108513.tif 000007
【図６】
0003108513.tif 000008
【図７】
0003108513.tif 000009
(57)【要約】【課題】従来の車椅子における単能性を解消し機能性車椅子を提供する事が課題である。【解決手段】車椅子の前方部に設ける足乗せのフレーム部分に杖キャッチャをはめて、杖を脱着自在でき、移動しやすい機能性車椅子。【選択図】図１
0003108571.tif 000002
【実用新案登録請求の範囲】
【請求項１】
車椅子において、前方部に設ける足乗せ用に接続される左右のフレーム部分に杖の保持機能を有する杖キャッチャを取り付けることにより杖の脱着が自在にできる事を特徴とする杖と車椅子とが一体となる杖キャッチャ付車椅子。
【考案の詳細な説明】
【技術分野】
【０００１】
本考案は、車椅子に関するものであり、特に身体の障害者自身で杖の脱着ができる車椅子に関するものである。
【背景技術】
【０００２】
従来公知の車椅子にあっては、後方部に設ける手押し部の左右の垂直支持体を筒状に形成し、この筒内に脱着自在の取っ手部を有する杖を挿入して、この杖の取っ手部を車椅子の手押し部として利用されていた。このように後方部に杖を収納するため身体の障害者自身で車椅子に座った状態で杖の抜き差しが難しく、また、抜く際に杖を大きく持ち上げなければならず、周囲の安全性にも問題が発生していた。しかも、取っ手部を有する杖を車椅子の手押し用に使用するため杖を２本用意する必要があり、また、杖挿入するため手押し部の左右の垂直支持体を筒状に形成しなければならず、杖の回転止めも必要であり汎用性に問題があった。
【特許文献１】実用新案登録第３０９２４７５号公報
【考案の開示】
【考案が解決しようとする課題】
【０００３】
本考案は、従来公知の杖の抜き差しの不便さを解消し、身体の障害者自身で杖の脱着ができる車椅子を提供する事を課題としている。
【課題を解決するための手段】
【０００４】
本考案は、前方部に設ける足乗せ用に接続される左右のフレーム部分に杖の保持機能を有する杖キャッチャを取り付けることにより、簡単に杖を自由自在に取り外しできる機能性のある車椅子として課題を解決している。
【考案の効果】
【０００５】
本考案により従来の公知の車椅子にあっては、後方部に杖を収納するため身体の障害者自身で車椅子に座った状態で杖の抜き差しが難しかったが、前方部に設ける足乗せ用に接続される左右のフレーム部分に杖の保持機能を有する杖キャッチャの一方を取り付けて、さらに、他方には身体の障害者が使用する杖の保持機能有しており、しかも、杖の脱着が介護者の手を借りることなく容易に身体の障害者自身ででき、便利な車椅子を提供するという目的を十分に達成するものである。また、本考案により、車椅子を使用しなければならない身体の障害者が歩行する場合に必要とする杖をその場で用意でき極めて有効な車椅子となる。
また、従来公知の車椅子は取っ手部を有する杖を車椅子の手押し用に使用するため杖を２本用意する必要があり、また、杖挿入するため手押し部の左右の垂直支持体を筒状に形成しなければならず、杖の回転止めも必要であり汎用性に問題があった。
しかし、本考案の杖キャッチャは、左右のフレーム部分取り付けるのみで杖と車椅子が一体となり、しかも、すべての車椅子にこの杖キャッチャは取り付けられるため汎用性に大変優れている。
【考案を実施するための最良の形態】
【０００６】
以下、図面に示す実施例に従って本考案の実施態様について説明する。
図１は、本考案の一実施例を示す車椅子の全体図である。車椅子本体１の前方部には２つの足乗せ台２があり、この足乗せ台２に接続される左右のフレーム３部分が存在する。
このフレーム３と杖４を本考案の合成樹脂製等の弾力性のある杖キャッチャ５の両側に取り付ける。この杖キャッチャ５は、Ｕ字形状の杖キャッチャ５を背中合わせに固定した形状とし、一方の杖キャッチャ５Ａをフレーム３の一方に取り付ける。さらに、他方の杖キャッチャ５Ｂは杖５の保持用に使用する。なお、杖キャッチャの取り付け固定は、Ｕ字形状のスリット６部分をそれぞれフレーム部及び杖の中央部に押し当てることにより、簡単に杖キャッチャは脱着できる。しかも、杖も自由自在に取り外しが簡単に出来、杖の安定が保たれるとともに、車椅子は何ら手を加えることなく通常の状態で使用できる。
【０００７】
図２は杖キャッチャに杖を取り付けた状態を示す要部拡大図である。図２で示す通り、車椅子のフレーム３に固定する一方の杖キャッチャ５Ａにはスプリング金具７を両側に設けて保持力を高める構造とすると一層効果的である。他方の杖キャッチャ５Ｂにはスプリング金具は取り付けず杖の脱着を容易にする形状とする。
本考案の杖キャッチャ５は金型にて５Ａ、５Ｂを一体物に成形してもよく、また、５Ａ、５Ｂをビスとナット等の固定手段にてＵ字形状の杖キャッチャを背中合わせに固定しても機能は達成する。その場合には傷止め用にゴム等の弾性体８でビスとナット等の金属部分を保護する必要があるが性能上は何ら問題は発生しない。
【産業上の利用可能性】
【０００８】
ベッドの柵及びパイプ椅子にも脱着自在出来る。さらに、杖キャッチャ自体を持ち運びできる便利な点も優遇される。その他食堂用テーブル等杖キャッチャ自体を保持固定できる個所等に広く応用して使用可能である。また、杖キャッチャ形状を互いに直角形状して一方を身障者用歩行器に取り付け、他方を杖の取り付けにも利用可能である。
【図面の簡単な説明】
【０００９】
【図１】本考案の一実施例を示す車椅子の全体図である。
【図２】杖キャッチャに杖を取り付けた状態を示す要部拡大図である。
【符号の説明】
【００１０】
１    車椅子
２    足乗せ台
３    フレーム
４    杖
５    杖キャッチャ
６    スリット
７    スプリング金具
８    弾性体
【図１】
0003108571.tif 000003
【図２】
0003108571.tif 000004
(57)【要約】【課題】  ツボ刺激部の移動と固定が簡単にでき、形状を変えたいろいろな使い方ができるツボ刺激健康器具を実現する。【解決手段】  刺激部１に開けられた穴２に、穴２の口径よりも少し太い紐３を通すことで、刺激部１の移動と固定を可能にする。紐３に適度な長さを持たせておくことで、紐３、あるいは紐３と刺激部１を他の物体に結び付けたり絡ませたりして固定することができる。【選択図】  図１
0003108566.tif 000002
【実用新案登録請求の範囲】
【請求項１】
ツボ刺激部に開けた穴に、穴の口径より太い紐を通して、ツボ刺激部の移動と固定を同時に可能にした健康器具
【請求項２】
ツボ刺激部の穴を通る紐を用いて、あるいはその紐とツボ刺激部の組み合わせで、他の物体に取り付けて使用できる健康器具
【考案の詳細な説明】
【技術分野】
【０００１】  本考案は、ツボを刺激する健康器具に関する。
【背景技術】
【０００２】  従来は、ツボ刺激部の位置は固定されていた。また、器具の形状も大きく変えることはできなかった。
【考案の開示】
【考案が解決しようとする課題】
【０００３】  従来のツボ刺激器具は、刺激部が固定されており、位置調整ができず、使用者の体型や刺激部の微妙なズレに対応できなかった。また、器具本体の形状が変えられないため、使用法が限られていた。
【課題を解決するための手段】
【０００４】  刺激部に穴を開けて、紐を通す。穴の口径が紐の直径よりも若干短いため、刺激部が適度な保持力をもって紐を移動できて、刺激部の間隔が自由に調節できるようになる。また本体は、紐と刺激部とからなる柔軟な構造を持つため、色々な形状で使うことができる。
【考案の効果】
【０００５】  刺激部を自由に移動させることができるので、ツボを正確に刺激することができる。移動と同時に固定されるので、手間もかからない。紐に結び目を作り、刺激部を強く固定することもできる。紐から刺激部を取り外したり、取り付けたりして、刺激部の数を変えることも容易である。【０００６】  また、紐を絡ませたり結んだり、あるいは紐と刺激部を絡ませたりして、いろいろな物体に取り付けて、楽な姿勢で使用することができる。
【考案を実施するための最良の形態】
【０００７】  本考案に係る刺激部１の形状は、直径が４〜６ｃｍ程度の球形が理想的であり、材質は固くて軽い木製が望ましい。紐３の太さは概ね０．５ｍｍ〜１ｃｍ程度で、穴２の口径に応じて選べばよい。紐３の素材は、綿や麻など柔らかいものが望ましい。長さが約１メートル程の紐３と２個以上の刺激部１があれば、紐３を結んだり、紐３と刺激部１を絡ませたりして、いろいろなものに取り付けて使うことができる。
【図面の簡単な説明】
【０００８】
【図１】考案した器具の外観図である。
【図２】考案した器具の一部の断面図である。
【図３】考案した器具の使用状況をしめす透視図である。
【図４】考案した器具の使用方法をしめす斜視図である。
【符号の説明】
【０００９】  １  刺激部
２  穴
３  紐
４  人体
５  床などの平面
６  椅子
【図１】
0003108566.tif 000003
【図２】
0003108566.tif 000004
【図３】
0003108566.tif 000005
【図４】
0003108566.tif 000006
【手続補正書】
【提出日】平成16年11月11日(2004.11.11)
【手続補正２】
【補正対象書類名】明細書
【補正対象項目名】０００７
【補正方法】変更
【補正の内容】
【０００７】本考案に係る刺激部１の形状は、直径が４〜６ｃｍ程度の球形、材質は固くて軽い木製が望ましい。紐３の太さは概ね０．５〜１ｃｍ程度で、穴２の口径に応じて選べばよい。紐３の素材は、綿や麻など柔らかいものが望ましい。長さが１ｍ程の紐３と２個以上の刺激部１があれば、紐３を結んだり、紐３と刺激部１を絡ませたりして、いろいろなものに取り付けて使うことができる。
【手続補正３】
【補正対象書類名】図面
【補正対象項目名】図１
【補正方法】変更
【補正の内容】
【図１】
0003108566.tif 000007
(57)【要約】【課題】ハワイアン楽器ウリウリの形状を崩さずに収納できるようにする。【解決手段】羽根の部分とマラカスのマラカスの部分とからなるハワイアン楽器ウリウリを収納するバックにおいて、羽根の部分と収納バックの内側面にマジック板を付け接着させる事により、羽根の部分を宙に浮かす状態になり、羽根の形状を崩さずに収納することを可能にしたウリウリ収納バック。【選択図】  図７
0003108568.tif 000002
【実用新案登録請求の範囲】
【請求項１】
羽根の部分とマラカスの部分とからなるハワイアン楽器ウリウリを収納するバックにおいて、羽根の部分と収納バックの内側面にマジック板を付け接着させる事により、羽根の部分を宙に浮かす状態になり、羽根の形状を崩さずに収納する事を可能にした事を特徴とするウリウリ収納バック。
【考案の詳細な説明】
【技術分野】
【０００１】この考案はバックに関するがハワイアン楽器ウリウリの形状を崩さずに収納できるようにしたウリウリ収納バックに関するものである。
【考案の開示】
【考案が解決しようとする課題】
【０００２】ウリウリは円形の布地５の周りに鳥の羽根４が縫い付けられている物で、持ち運び及び、収納の際、その羽根４が折れたり曲がったりしてしまう事でとても気を使う。
この考案はウリウリの形状を崩さずに収納できるように構成したところに課題の解決がある。
【課題が解決するための手段】
【０００３】この考案は上記の問題を解決するために開発したものであって、バック１の内側の側面７と羽根４が縫い付けられている布地５の部分にそれぞれマジック板２・３を縫い付ける事により課題の解決がある。
【考案の効果】
【０００４】この考案はウリウリの布地５に縫い付けられたマジック板３をバック側面７に縫い付けられたマジック板２と接着する事で羽根が宙に浮くようになり、周りの物に接触する事がなくなり、羽根の形状を崩さずに収納ができる。
【考案を実施するための最良の形態】
【０００５】この考案の実施形態は、バックの中で羽根が宙に浮いている形になるようになり、持ち運びや収納に気を使う事がなくなり大変便利である。
【実施例】
【０００６】以下、図面に従ってこの考案の実施例について説明する。
ウリウリは図１の羽根４の部分と図２のマラカス９の二つに分解されるようになっている。
この考案は図１の羽根の部分にある。【０００７】この考案は図１及び、図３に図示されているように布地５に縫い付けられているマジック板３の部分と、図４及び、図５に図示されているマジック板２の部分とを接着させる。
このようにマジック板３をマジック板２に接着させることにより、図１が図６に図示されているバックの側面７で宙に浮く状態になる。
従って、図７に図示されているようにバック１の底の部分にマラカス９を立てて置き、両側面７で図１が宙に浮く事により、羽根４が折れたり曲がったり形状を崩す事なく収納できる。
【図面の簡単な説明】
【図１】  ウリウリの羽根の裏正面図
【図２】  ウリウリ分解時のマラカス部分
【図３】  ウリウリの羽根の側面図
【図４】  バック正面図
【図５】  本考案のウリウリ収納バックの斜視図
【図６】  ファスナー開口時のバック側面図
【図７】  ウリウリ収納時のバック拡大断面図
【符号の説明】
１  バック本体
２  マジック板
３  マジック板
４  羽根
５  布地（羽根が縫い付けられている）
６  両開きファスナー
７  バック内側面
８  紐
９  マラカス
【図１】
0003108568.tif 000003
【図２】
0003108568.tif 000004
【図３】
0003108568.tif 000005
【図４】
0003108568.tif 000006
【図５】
0003108568.tif 000007
【図６】
0003108568.tif 000008
【図７】
0003108568.tif 000009
(57)【要約】【課題】  この考案は貯水槽内にゴミや枯葉、小枝などの侵入を防ぎ、雨水を自動的に貯水槽内に水を溜め、かつ蒸発を防止し貯水する貯水槽である。【解決の手段】  貯水槽（１）の上部に雨水受皿（２）を取りつけ、その底部中心に穴（３）を設け、穴（３）を塞ぐ栓（４）に糸（５）を取りつけ、おもり（６）に連結。雨水受皿（２）を覆うように防塵網（７）を被せ固定。貯水槽（１）の側面に水量測定器（８）及び排水管（９）を取りつけ、排水管の先端に防虫網（１０）を取りつける。貯水槽（１）の下部側面に蛇口（１１）を取りつけ、貯水槽（１）の底に台（１２）を設ける。【選択図】  図１
0003108562.tif 000002
【実用新案登録請求の範囲】
【請求項１】
（イ）貯水槽（１）上部に雨水受皿（２）を取りつけ、底部中心に穴（３）を設ける。
（ロ）穴（３）を塞ぐ栓（４）に糸（５）を取りつけ、おもり（６）に連結する。
（ハ）雨水受皿（２）に防塵網（７）を被せ固定する。
（ニ）貯水槽（１）の側面に水量測定管（８）及び排水管（９）を取りつけ、排水管（９）の先端に防虫網（１０）を取りつける。
（ホ）貯水槽（１）の下部側面に蛇口（１１）を取りつけ、底に台（１２）を設ける。
以上の如く構成された貯水槽である。
【請求項２】
栓（４）とおもり（６）を接合した請求項１の貯水槽である。
【考案の詳細な説明】
【考案の詳細な説明】
【技術分野】
【０００１】  この発明は貯水槽内にゴミや枯葉、小枝などの侵入を防ぎ、雨水を自動的に溜め、更に蒸発を防ぐ貯水槽に関するものである。
【背景技術】
【０００２】  従来の貯水槽は主にドラム缶やコンクリート製の貯水槽を利用しているが、降雨時に貯水槽の蓋を取り外し、雨水を溜めては又蓋をしていた。従って人手の届く範囲内の設置制限があった。
【考案が解決しよとする課題】
【０００３】  人手を借りず、貯水槽内にゴミや枯葉、小枝などの侵入を防ぎ、雨水を自動的に溜め、更に蒸発を防ぎ、外見から貯水量が測定でき、いたるところ（山林、田畑、街角など）に設置できる貯水槽の考案である。
【課題を解決しようとするための手段】
【０００４】  その構成を説明すると、
（イ）貯水槽（１）の上部に傾斜のついた雨水受皿（２）を取りつけ、その底部中心に穴（３）を設ける。
（ロ）穴（３）を塞ぐ栓（４）に糸（５）を取りつけ、穴（３）を通しておもり（６）に連結する。
（ハ）雨水受皿（２）を覆うように防塵網（７）を被せ固定する。
（ニ）貯水槽（１）の側面に水量測定管（８）及び排水管（９）を取りつけ、排水管（９）先端に防虫網（１０）を取りつける。
（ホ）貯水槽（１）の下部側面に蛇口（１１）を取りつけ、底に台（１２）を設ける。
以上のように装置する。
【考案を実施するための最良の形態】
【０００５】  本発明の実施の形態を述べると、雨は網目の屋根状の防塵網（７）を通り、傾斜のついた雨水受皿（２）内に溜まる。雨水受皿（２）の底部中心の穴（３）を塞いでいる栓（４）の表面に働く水の圧力によって、栓（４）を糸（５）で連結しているおもり（６）の重力に逆らって、栓（４）は上方におし上げられ穴（３）が開いて水は貯水槽内（１）に流れ込んで溜まる。水は貯水槽（１）内を満杯とせず、排水管（９）出口穴より外部へ流れ落ちる。雨が止んで雨水受皿（２）内の水が貯水槽（１）内に全部流れ込むと、栓（４）はおもり（６）の重力により下方に引っ張られ穴（３）を塞ぎ、貯水槽（１）内に溜まった水の蒸発を防いで貯水できる。
また栓（４）とおもり（６）を接合しても穴（３）の開閉は同じ効果である。
【考案の効果】
【０００６】１）防塵網（７）の屋根のためゴミ、枯葉、小枝など貯水槽（１）内に侵入しない。
２）雨水受皿（２）の底部中心の穴（３）を塞いでいる栓（４）の作動により、貯水槽（１）内に水が自動的に溜まり、蒸発を防ぐのである。
３）いたる所（山林、田畑、街角、屋敷など）に設置ができる。
（イ）山林に設置することにより、山火事の初期消火や延焼を防ぐことができる。
（ロ）田畑に設置することにより、農作物への散水ができる。
（ハ）街角に設置することにより、防火用水に使用することができる。
（ニ）屋敷内に設置することにより、植木や菜園に散水することができる。
（ハ）（ニ）の場合、貯水槽に屋根の雨水管を連結することにより、雨水を有効利用できる。また、各項は非常時に貯水槽内の水を濾過して飲料水に使用できる。
【図面の簡単な説明】
【図１】  本考案の正面図
【符号の説明】
１……貯水槽
２……雨水受皿
３……穴
４……栓
５……糸
６……おもり
７……防塵網
８……水量測定管
９……排水管
１０……防虫網
１１……蛇口
１２……台
【図１】
0003108562.tif 000003
(57)【要約】【課題】 本考案は、ローソクの上昇気流、風又は水流を受け回転する風水駆動回転式流し灯篭を提供する。【解決手段】本考案は、ランプシェードの円筒側面や上面に回転翼、或いは浮き台の水面側に回転翼を設け、風や水流をこれら回転翼が受け、偶力を生じて回る風水駆動回転式流し灯篭を提供する。【選択図】図１
0003108561.tif 000002
【実用新案登録請求の範囲】
【請求項１】
浮き台とこの浮き台の中央に載置するローソクとこのローソクを囲って覆い前記浮き台に載置しているランプシェードからなる流し灯篭において、前記浮き台の水面下部に重心からの法線と適度な角度を有して多数並ぶ回転翼と、又は、前記ランプシェードの円筒側面下部に複数個の貫通穴、円筒側面上部に多数の回転翼、又は円筒上面に多数の回転翼などとから成る流し灯篭。
【考案の詳細な説明】
【技術分野】
【０００１】
本考案は、自然の風、水の流れなどの動力により回転する水面に浮かぶ流し灯篭に関するものである。
【背景技術】
【０００２】
上面にローソクを立てて水面 に浮かせることができる紙製の底板と、その底板の上にローソクの外周部を囲って覆うように載置する同じく紙製の筒状体とから成る流し灯篭 において、その底板の上面中央部に紙製の燭台を設置するとともに、同じく底板の上面において上記燭台の周囲の複数箇所に上記筒状体の下端部をロックする紙製の鉤片を設けたことを特徴とするものであった。
【０００３】
水面に浮かばない支持脚などによる固定式では、電球などの熱による上昇空気を利用してランプシェードを回転させる物があった。
【０００４】
【特許文献１】実用新案登録第３０８２００７号
【考案の開示】
【考案が解決しようとする課題】
【０００５】
しかしながら上記流し灯篭においては、水流のままに流れ、これ自体が動くことが無く、また、固定式の場合の回転する構造では、電気を供給する手段が困難であり、また回転が不安定であり、故障も起き易い。
【課題を解決するための手段】
【０００６】
本考案は、従来例の以上の欠点を解消しようとするもので、機構が簡単で安価であり、水面に浮き、自然の風や水の流れを利用しこれらのエネルギーにより回転する流し灯篭を提供しようとするものである。浮き台の水側に設けた回転翼或いはランプシェードの上面、側面に翼を設けたことを特徴とする。
【考案の効果】
【０００７】
本考案は、以下の作用効果が期待できる。
（イ）浮き台、ローソク、ランプシェードの基本構成に浮き台、ランプシェードなどに回転翼を設けただけの構成であるため、構造が簡単であり、故障が無く、安価である。
（ロ）普通の流し灯篭と同様に、取扱いが容易である。
（ハ）画一的で機械的な動きで無く、生き物のような自然の動きをするため、幻想的で感性に響く効果がある。
（ニ）水の流れる水槽を用いれば、室内用に使用出来、幻想的な趣を演出できる。
【考案を実施するための最良の形態】
【０００８】
本考案は、浮き台の中央に載置されるローソクとこのローソクを囲って覆い同様に浮き台に載置されるランプシェードの基本構成に、この浮き台の水側或いはこのランプシェードの上面、或いは側面に回転翼を設けた風水駆動回転式流し灯篭を提供する。
【実施例１】
【０００９】
以下、添付図面に従って一実施例を説明する。図１において、（１）は、浮き台、（２）は、前記浮き台（１）の中央部に載置されるローソク、（３）は、このローソク（２）を囲って覆う前記浮き台（１）に載置され、円筒側面の下部に複数個の穴（６）を有し、円筒側面の上部に複数個の回転翼（４）を有し、或いは上面に回転翼（４’）を有するランプシェード、（５）は、前記浮き台（１）の水面側に取り付けられている回転翼とから成ることを特徴とする。
次に使用法を説明する。
ローソク（２）に火を灯すと空気がランプシェード（３）の下部の穴（６）から入り、加熱されて上昇し回転翼（４）又は（４’）を通り外部に流出する、この時、これらの回転翼に偶力を与え、又は外の風がこれらランプシェード（３）の回転翼（４）、（４’）に当り偶力を発生し、或いは、浮き台（１）の水面側に位置する回転翼（５）に水の流れが偶力を与えて、浮き台が回転する。
【図面の簡単な説明】
【００１０】
【図１】風水駆動回転式流し灯篭の実施方法を示した正面図である。（実施例１）
【図２】図１を上方から見た図である。（実施例１）
【図３】図１を下方から見た図である。（実施例１）
【符号の説明】
【００１１】
１  浮き台
２  ローソク
３  ランプシェード
４  ランプシェード円筒側面の回転翼
４’ランプシェード上面の回転翼
５  浮き台水面側の回転翼
６  ランプシェードの円筒側面下部の穴
【図１】
0003108561.tif 000003
【図２】
0003108561.tif 000004
【図３】
0003108561.tif 000005
(57)【要約】【課題】  本考案は、車両を検知するにあたり検知器からの電磁波による車両搭載機器に悪影響を与えず、車両以外の遮蔽物による誤検知をしない車両検知装置を提供する。【解決手段】  枕木間のレールに取り付けた金具からひずみ計を使用して、レールのたわみを間接的に取り出して車両を検知することにより、車両搭載機器への悪影響と車両以外の遮蔽物による誤検知を防止して確実に車両を検知する。また、取り付け金具により装置の設置を容易にし、増幅器で信号を調節することにより設置個所の環境に対応できる検知装置である。【選択図】  図１
0003108035.tif 000002
【実用新案登録請求の範囲】
【請求項１】
車両を検知するため、レールに取り付けた金具からレールのたわみをひずみ計により取り出すことにより車両を検知する装置。
【考案の詳細な説明】
【技術分野】
【０００１】
本考案は、レール取り付け金具とひずみ計を使用しレールのたわみによる車両検知装置に関するものである。
【背景技術】
【０００２】
超音波や電磁波等による検知部遮蔽や接近検知により車両検知を行っていた。
【考案の開示】
【考案が解決しようとする課題】
【０００３】
電磁波による検知器は車両搭載機器に誤動作等の悪影響を与える。また、光等の遮蔽による検知器は鳥や雪等により誤動作を起こす危険がある。これを解決しようとするものである。
【課題を解決するための手段】
【０００４】
本考案は鉄道車両が通過する場合に、車輪の乗った枕木間のレールが必ずたわむことに着目し、レールのたわみを取り出せるようレールに取り付けた金具にひずみ計を貼り付け、ひずみ計の信号により車両を検知することにより問題点を解決している。
【考案の効果】
【０００５】
本考案は、上述のようにひずみ計の信号を増幅して車両検知信号とすることにより、車両搭載機器への悪影響が起こらず、設置個所の環境変化にも対応でき、車両を確実に検知できる。
また、取り付け金具を使用することにより装置の設置を容易にしている。
【考案を実施するための最良の形態】
【０００６】
本考案は、ひずみ計を貼り付けた取り付け金具をレールに固定し、取り付けた金具部を車輪が通過するさいのレールたわみをひずみ計により検出する。レールの設置状況によりたわみ量が変化するため検出信号を増幅器により調節して車両検知信号とする。このことにより設置個所の環境変化にも対応でき、車両を確実に検知できるようにしたものである。
また、ひずみ計を直接レールに貼り付ける施工性の悪さ等を解消するため、金具を使用してレールたわみを間接的に検出することにより設置を容易にしたものである。
【実施例】
【０００７】
以下、添付図面に従って実施例を説明する。１は電源で車両検出装置に電源を供給する。２はひずみ計で３の鋼板に貼り付ける。ひずみ計の貼られた３の鋼板を４のレール取り付け金具に固定する。４の取り付け金具を５の枕木間にある６のレールに取り付ける。６のレールたわみを２のひずみ計から７の配線により８の増幅器に信号を送る。６のレールの設置状況によるたわみ量の変化を８の増幅器で調節し、車両検知信号として９の出力とする。
【図面の簡単な説明】
【０００８】
【図１】本考案の車両検知装置の実施例を示すブロック図である。
【図２】レール取り付け金具とひずみ計を示した断面図である。
【図３】レール取り付け金具とひずみ計を示した平面図である。
【符号の説明】
【０００９】
１  電源
２  ひずみ計
３  鋼板
４  レール取り付け金具
５  レール枕木
６  レール
７  配線
８  増幅器
９  出力
【図１】
0003108035.tif 000003
【図２】
0003108035.tif 000004
【図３】
0003108035.tif 000005
(57)【要約】      （修正有）【課題】厚みを薄くしても強度の向上を図ることが出来、瓦自体の軽量化を図ることが出来る。【解決手段】山部４、4a、4b及びフラット部５、5a、5bを交互に連続形成することで、各フラット部５、5a、5bの幅が狭くなると共に、全体として波形状になることから、薄くしても強度が向上するため、屋根瓦１の軽量化を図ることが出来る。【選択図】図３
0003108031.tif 000002
【実用新案登録請求の範囲】
【請求項１】
山部及びフラット部を、一側方が桟で他側方が差込みになる様に交互に連続形成したこ
とを特徴とする屋根瓦。
【請求項２】
尻側及び頭側の角部に切欠を形成すると共に、尻側切欠の幅を頭側切欠より狭くし、差
込みの外側部に形成した水返しの頭側端部を内方に屈曲してその外側を係合凹部とし、他
方尻側且つ桟側の角部にして尻側切欠の縦辺部に沿う部位の裏面に係合凹部を形成したこ
とを特徴とする請求項１記載の屋根瓦。
【考案の詳細な説明】
【技術分野】
【０００１】
本考案は、高い強度で薄厚な屋根瓦に関する。
【背景技術】
【０００２】
従来の平板部の一側方に桟山部を連続形成した屋根瓦にあっては、平板部が半分以上を
占めているものが一般的である。
【０００３】
研究開発段階や出願段階で先行技術調査を行っておらず、記載すべき先行技術文献を知
りません。
【考案の開示】
【考案が解決しようとする課題】
【０００４】
しかし、上記状態技術にあっては、平板部が大きいことから、強度を高めるためには瓦
自体を厚くせねばならず、その結果瓦自体が非常に重くなってしまうなど、解決せねばな
らない課題があった。
【課題を解決するための手段】
【０００５】
本考案は、上記従来技術に基づく、平板部が大きいと厚くなってしまう課題に鑑み、山
部及びフラット部を交互に連続形成することで、各フラット部の幅が狭くなると共に、全
体として波形状にすることによって、薄くしても強度が向上すると共に軽量化が図られる
様にして、上記課題を解決する。
【考案の効果】
【０００６】
要するに本考案は、山部及びフラット部を、一側方が桟で他側方が差込みになる様に交
互に連続形成したので、全体形状を波形状にすることが出来ることから、厚みを薄くして
も強度の向上を図ることが出来るため、結果として瓦自体の軽量化を図ることが出来る。
又、尻側及び頭側の角部に切欠を形成すると共に、尻側切欠の幅を頭側切欠より狭くし
、差込みの外側部に形成した水返しの頭側端部を内方に屈曲してその外側を係合凹部とし
、他方尻側且つ桟側の角部にして尻側切欠の縦辺部に沿う部位の裏面に係合凹部を形成し
たので、葺設状態における屋根瓦の尻側の係合凹部の下方に、斜め上方の屋根瓦の頭側の
係合凹部を位置させれば、上方の屋根瓦の頭側を、下方の屋根瓦の固定された尻側に固定
することが出来るため、完成した瓦屋根に耐震・耐風機能を具備させることが出来る等そ
の実用的効果甚だ大である。
【考案を実施するための最良の形態】
【０００７】
以下、本考案の発明の形態を図面に基づき説明する。
図１〜４は本考案に係る屋根瓦の平面図、底面図、正面図及び背面図であり、かかる屋
根瓦１の一側方が桟２、他側方が差込み３となる様に、山部４、4a、4b及びフラット部５
、5a、5bを交互に連続形成して、一側方の山部４を桟２とすると共に、他側方のフラット
部5bを差込み３としている。
【０００８】
上記屋根瓦１に尻側切欠６及び頭側切欠７を形成すると共に、該尻側切欠６の幅を頭側
切欠７より狭くし、屋根瓦１の尻側に形成した水返し８の桟２側の端部は、尻側切欠６に
沿う様に形成されている。
【０００９】
屋根瓦１の差込み３の外側部に形成した水返し９の頭側端部を内方に屈曲してその外側
を係合凹部10とし、他方屋根瓦１の尻側且つ桟側の角部にして尻側切欠６の縦辺部に沿う
部位の裏面にも係合凹部11を形成している。
そして、葺設状態における屋根瓦１の尻側の係合凹部11の下方に、斜め上方の屋根瓦１
の頭側の係合凹部10を位置させて、上方の屋根瓦１の頭側を、下方の屋根瓦１の固定され
た尻側に固定する様にしている。
【図面の簡単な説明】
【００１０】
【図１】本考案に係る屋根瓦の平面図である。
【図２】図１の底面図である。
【図３】図１の正面図である。
【図４】図１の背面図である。
【符号の説明】
【００１１】
２          桟
３          差込み
４、4a、4b  山部
５、5a、5b  フラット部
６          尻側切欠
７          頭側切欠
９          水返し
10          係合凹部
11          係合凹部
【図１】
0003108031.tif 000003
【図２】
0003108031.tif 000004
【図３】
0003108031.tif 000005
【図４】
0003108031.tif 000006
(57)【要約】【課題】      本考案は、装飾ランプに蓄電地を設け、移動を自由にする。【解決手段】  本考案は、装飾ランプ自体に蓄電池を設け充電式にする事により、取り外しが可能となり、自由な場所へ移動して明かりを照らす事が可能となる。【選択図】    図１
0003108078.tif 000002
【実用新案登録請求の範囲】
【請求項１】
卓上ランプ自体に蓄電池を内蔵する事により、自由自在な所へ持ち運び、使用できる事を特徴としたランプ。
【考案の詳細な説明】
【技術分野】
【０００１】  本考案は、装飾ランプを蓄電式の電気式にして、移動可能にする為の装飾ランプに関するものである。
【背景技術】
【０００２】  ろうそくによる照明は、物理的に消耗品であり火災の心配もあった。
【考案の開示】
【考案が解決しようとする課題】
【０００３】  ろうそくによる照明は、消耗品であり又火災の心配もある。これを蓄電式の電気式にする事により、前述の問題を解決しかつ自由に移動可能にするものである。
【課題を解決する為の手段】
【０００４】  本考案は、装飾ランプ自体に蓄電池を儲け充電式にする事により、移動を自由にする。
【考案の効果】
【０００５】  上述のように、ろうそくランプを電気式にする事により、消耗、火災、を防ぎかつ、電気式にもかかわらず蓄電式の為、自由自在の移動が可能になる。
【考案を実施する為の最良の形態】
【０００６】  ろうそく型装飾ランプ自体は蓄電式の着脱可能である為、未使用時は充電スタンドに乗せて充電し、使用時はそこから取り外し自由に持ち歩く事ができる。
【図面の簡単な説明】
【０００７】
【図１】  １  ろうそく型装飾ランプ、２  充電スタンド、３  電源コード。
【図１】
0003108078.tif 000003